(57)【特許請求の範囲】
【請求項１】
一対のブーツ(10,10)を組み合わせるための一対のブーツスタンド(20,20)であって、各ブーツスタンド(20)は、
前記ブーツ(10)の筒状部(12)内に収納され、該筒状部(12)の型くずれを防止するための筒形状をしたスタンド本体(30)と、
前記スタンド本体(30)の上部に設けられ、一方のブーツ(10)のつま先部分(14)を収容して保持するためのつま先保持具(40)と、
を含んでおり、一対の前記スタンド本体(30,30)に装着される一対のブーツ(10,10)を上下において互い違いに組み合わせられるようにしたブーツスタンド。
【請求項２】
前記各スタンド本体(30)は、筒幅を調節するための筒幅調節手段を有していることを特徴とする請求項１に記載のブーツスタンド。
【請求項３】
前記筒幅調節手段は、弾性材で製作された前記スタンド本体(30)の縦方向にスリット(31)を形成することにより筒幅を調節するようにしたことを特徴とする請求項２に記載のブーツスタンド。
【請求項４】
前記筒幅調節手段は、弾性材で製作された前記スタンド本体(30)を縦方向に分離し、その一端部と他端部間の縦方向に面ファスナーを設けることにより筒幅を調節するようにしたことを特徴とする請求項２に記載のブーツスタンド。
【請求項５】
前記スタンド本体(30)及びつま先保持具(40)が弾性材からなり、網目により形成されていることを特徴とする請求項１〜４のいずれか一項に記載のブーツスタンド。
【請求項６】
前記つま先保持具(40)は、前記スタンド本体(30)に対して回転可能に取付けられていることを特徴とする請求１〜５のいずれか一項に記載のブーツスタンド。
【請求項７】
前記各スタンド本体(30)の下端部に、前記各ブーツ(10)の甲部(16)の型くずれを防止するための当て部材(50)を設けたことを特徴とする請求項１〜６のいずれか一項に記載されたブーツスタンド。
【請求項８】
前記当て部材(50)は、前記スタンド本体(30)に対して回転可能に取付けられていることを特徴とする請求７に記載のブーツスタンド。
【請求項９】
前記つま先保持具(40)は、前記各スタンド本体(30)に装着された一対のブーツ(10)を上下において互い違いに組み合わせた際に、互いのブーツ(10)を固定するための固定バンド(43)を有していることを特徴とする請求項１〜８のいずれか一項に記載のブーツスタンド。
【請求項１０】
前記つま先保持具(40)は、取っ手(22)を有していることを特徴とする請求項１〜９のいずれか一項に記載のブーツスタンド。
【発明の詳細な説明】
【０００１】
【発明の属する技術分野】
本発明は、一足のブーツを型くずれしないようにまとめて保管するブーツスタンドの改良に関し、特に一足のロングブーツがスペースをとらずにコンパクトになるようにしたブーツスタンドに関する。
【０００２】
【従来の技術】
近年、ふくらはぎ部分まで覆うようにしたロングブーツが流行している。このロングブーツは、寒い日には足元が温かく、履くと脚にフィットし脚が細く長く見えてファッション性が高くなることにより、女性、特に若い女性に人気がある。
【０００３】
しかし、このようなふくらはぎ部分に対応する筒部分を有するロングブーツは、ぬいだ後、上記筒部分が長いためダラリと途中から折れ曲がったり、倒れ易いという問題点がある。特に、雨の日の汚れた玄関でぬぐとロングブーツが汚れてしまう。更に、筒部分が折れ曲がると、型くずれが生じて好ましくない。
【０００４】
そこで、ロングブーツの筒部分が折れないように、単に筒部分の開口エッジ部分をクリップで挟んで壁またはスタンドに取り付けられたフックに該クリップを引っ掛けて一足のロングブーツを吊すようにしていた。しかし、単にクリップでロングブーツを吊すだけでは、筒部分が折れ曲がらなくてよいが、夏などロングブーツを使用しない不使用期間は吊しておくと、該筒部分に型くずれが生じる他、クリップの痕跡が残ってしまうという不具合がある。
【０００５】
このため、長期間の保存においても型くずれが生じないようにしたブーツスタンドが商品化されている。図１０は、このブーツスタンドを示している。
【０００６】
図１０の実線で示されたブーツスタンド３００は、弾性を有する割ピン状の挟持金具３０２と、該挟持金具３０２の下部に取り付けられた一対の型くずれ防止部材３０４，３０４とから構成されている。
【０００７】
挟持金具３０２は、一対の弾性片３０６，３０６と、その上端部に形成されたリング状の掛け止め部３０８とが一体的に形成されている。一対の弾性片３０６，３０６の上部には、該一対の弾性片３０６，３０６の上部側が開かないようにするための止め具３１０が固着されている。つまり、止め具３１０から下部分の弾性片３０６，３０６は弾性的に開くが、上部側は開かないようになっている。
【０００８】
一対の型くずれ防止部材３０４，３０４の各々は、前記一対の弾性片３０６，３０６の各々に固着されている。この各型崩れ防止部材３０４は、筒形状をしており、その筒幅は、ブーツ３２０の筒状部３２２の幅に合わせて調節できるようになっている。この型くずれ防止部材３０４をブーツ３２０の筒状部３２２内に挿入してブーツ３２０の型がくずれるのを防止する。
【０００９】
このようなブーツスタンド３００を使用するには、先ず、型くずれ防止部材３０４，３０４の各々を、各ブーツ３２０の筒状部３２２の開口部３２４から筒状部３２２内に挿入する。この際、一対の弾性片３０６，３０６を矢印で示すように左右に手で開くようにして、型くずれ防止部材３０４を筒状部３２２内に入れる。そして、手を離すことにより一対の弾性片３０６，３０６で一足のブーツ３２０を挟み付ける。このままの状態でブーツ３２０を保管してもよいが、長期間使用しないときは、掛け止め部３０８を壁あるいは下駄箱内に設けられたフックに引っ掛けて保管するようにしてもよい。
【００１０】
【発明が解決しようとする課題】
しかし、上記ブーツスタンド３００は、ブーツ３２０が型くずれを起こさない点では好ましいが、次の点で問題を有している。
【００１１】
第１に、左右一対のブーツ３２０を単に幅方向に挟み付けているため、広い保管スペースが必要となり、特に下駄箱内で保管するには問題がある。
【００１２】
第２に、ブーツ３２０の筒状部３２２同士を密着するようにして弾性片３０６，３０６で挟み付けているため、オフシーズンなど、長期間保管しておくと、密着した部分にカビが発生し易い。
【００１３】
本発明は上記点に着目してなされたものであって、幅方向にスペースをとることなく、長期間保管してもカビが生えにくく、かつ、ブーツが型くずれしないように保管あるいは整理することができるブーツスタンドを提供することを課題とする。
【００１４】
【課題を解決するための手段】
上記課題を解決するため本発明は、一対のブーツ(10,10)を組み合わせるための一対のブーツスタンド(20,20)であって、各ブーツスタンド(20)は、前記各ブーツ(10)の筒状部(12)内に収納され、該筒状部(12)の型くずれを防止するための筒形状をしたスタンド本体(30)と、前記スタンド本体(30)の上部に設けられ、各ブーツ(10)のつま先部分(14)を収容して保持するためのつま先保持具(40)と、を含んでおり、一対の前記スタンド本体(30,30)に装着される一対のブーツ(10,10)を上下において互い違いに組み合わせられるようにしたブーツスタンドとした。
【００１５】
前記各スタンド本体(30)は、筒幅を調節するための筒幅調節手段を有している。従って、ブーツ(10)の筒状部(12)の異なる筒幅に対応することができる。この筒幅調節手段としては、弾性材で製作された前記スタンド本体(30)の縦方向にスリット(31)を形成するようにしてもよく、弾性材で製作された前記スタンド本体(30)を縦方向に分離し、その一端部と他端部間の縦方向に面ファスナーを設けることにより筒幅を調節するようにしてもよい。弾性材としては、例えば実施の例によれば、ポリエチレン材などのプラスチック材が使用される。その他の材料としては、板紙等が使用される。この板紙は、チップ状にした紙片を型を用いて圧縮して固めることにより製造される。この板紙は、環境にもよく、皮革との相性もよく、カビなどが発生しにくく好ましい。つま先保持具(40)も同様の材料で作られる。
【００１６】
前記スタンド本体(30)及びつま先保持具(40)が弾性材からなり、網目により形成されてる。これにより材料の節約及び通気性が得られる。
【００１７】
前記つま先保持具(40)は、前記スタンド本体(30)に対して回転可能に取付けらる。
【００１８】
本発明のブーツスタンド(20)は、実施の例によれば、各スタンド本体(30)の下端部に、各ブーツ(10)の甲部(16)の型くずれを防止するための当て部材(50)を設ける。この当て部材(50)は、前記スタンド本体(30)に対して回転可能に取付けられる。該当て部材(50)の材質としては、上述したスタンド本体(30)及びつま先保持具(40)と同様の材料、例えばポリエチレン材などのプラスチック材、板紙等で作られる。
【００１９】
前記つま先保持具(40)は、前記各スタンド本体(30)に装着された一対のブーツ(10)を上下において互い違いに組み合わせた際に、互いのブーツ(10)を固定するための固定バンド(43)を有するのが好ましい。
【００２０】
前記つま先保持具(40)は取っ手(22)を有するようにすれば、持ち歩きの際に便利である他、該取っ手(22)をフックとして掛けがね等に吊すことも可能となり好ましい。
【００２１】
【発明の実施の形態】
以下、本発明を図面に示した好ましい一実施の形態に基づいて詳細に説明するが、本発明の技術的範囲は、添付図面に示された実施の形態に限定されるものではなく、特許請求の範囲に記載された範囲内において適宜変更が可能である。
【００２２】
図１は、本発明に係る一対からなるブーツスタンド２０の各々にブーツ１０を装着して一足のブーツ１０，１０を組み合わせた状態を示している。本発明を説明するに当たって、図面に示したブーツは、ふくらはぎ部分まで覆うロングブーツを示しているが、本発明においてはこれに限定されず、ハーフブーツ、ショートブーツをも含むものである。一対のブーツスタンド２０は、一方のブーツスタンド２０に取っ手２２が取付けられている点を除けば、同一構造をしているため、ブーツスタンドの構造を説明する際、一方のブーツスタンド２０の構造についてのみ説明する。従って、図２〜図６には、本発明の第１実施例に係るブーツスタンドの一方のみが示されている。以下、図２〜図６に基づいて説明する。
【００２３】
図２を参照するに、ブーツスタンド２０は、図１に示したブーツ１０の筒状部１２の型くずれを防止するためのスタンド本体３０を有している。スタンド本体３０の上部には、ブーツ１０のつま先部分１４を収容するつま先保持具４０が取付けられている。スタンド本体３０の下部には、ブーツ１０の甲部１６の型くずれを防止するための当て部材５０が取付けられている。
【００２４】
前記スタンド本体３０は、図４に示されているように筒形状をしている。スタンド本体３０の筒幅を調節できるように、縦方向は分離して調節スリット３１が形成される。つまり、図１に示したブーツ１０は利用客の足の大きさ及びふくらはぎの太さに対応する必要があるため、異なる筒幅の筒状部１２の型くずれを防止する必要があり、スタンド本体３０の筒幅を調節できるようにしている。このため、スタンド本体３０は弾性力を有する材料で製作されている。例えば、ポリエチレン材などのプラスチック材が使用される。その他、板紙を用いるようにしてもよい。
【００２５】
スタンド本体３０の上記筒幅調節手段の他の例が図５に示されている。このスタンド本体３０も縦方向に分離しており、一端部３２の縦方向外面には面ファスナーの一方であるループ状の雌面ファスナー３３が取付けられ、他端部３４の縦方向内面には前記雌面ファスナー３３と係脱するフック状の雄面ファスナー３５が取付けられる。図１に示すブーツ１０の筒状部１２の筒幅に合わせて、スタンド本体３０の筒幅を上記面ファスナーを介して調節する。
【００２６】
上述したように、スタンド本体３０の筒幅を調節できるようにすることは好ましいが、ブーツスタンド２０自体で販売せずに、ブーツ１０と一緒に販売する際には、特定のブーツ１０の筒幅に合致するようにした筒幅調節手段のないスタンド本体３０を用いるようにしてもよい。
【００２７】
符号４３は固定バンドであって、該固定バンド４３は、一対のブーツ１０をブーツスタンド２０に組み付けたときに、各ブーツ１０が離れないようにする。固定バンド４３の一端はつま先保持具４０の一側面に固着され（図３参照）、他端部にはフック状の雄面ファスナー４４が取付けられている。つま先保持具４０の他側面には雄面ファスナー４４と係脱する雌面ファスナー４５が取付けられている。
【００２８】
図３は、スタンド本体３０とつま先保持具４０との関係が示している。該つま先保持具４０は、図１に示す一対のブーツ１０をブーツスタンド２０に収納する際、一方のブーツ１０は通常の状態で立たせ、他方のブーツ１０は逆さまにして収納するため、該他方のブーツ１０のつま先部分１４を収容保持するための収容スペース４１を有している。このつま先保持具４０は、スタンド本体３０に対してビス４２，４２を介して回転可能に取付けられる。ブーツ１０のつま先部分１４を収容するとき、つま先保持具４０を回転させて上方に向けるよう傾けると収容し易い。
【００２９】
図６は、図２に示した当て部材５０の断面を示している。この当て部材５０は、図１に示したブーツ１０の甲部１６の型くずれを防止するための部材であり、湾曲した該甲部１６に対応するよう湾曲している。この当て部材５０はブーツ１０の靴内部に挿入される。
【００３０】
以上説明した本発明の第１実施例に係るブーツスタンド２０の使用方法について、図７に基づいて説明する。
【００３１】
先ず、各ブーツ１０の筒状部１２に設けられたスライドファスナー１８を開離しする。そして、靴部内部にブーツスタンド２０の当て部材５０を挿入し、ブーツ１０の甲部１６の型くずれが起きないように該甲部１６を内部から支持する。
【００３２】
次に、ブーツスタンド２０の筒形状をしたスタンド本体３０を、スライドファスナー１８により開離されて展開された状態のブーツ１０の筒状部１２で包み込むようにしてスライドファスナー１８を閉じる。この状態が図７に示されている。
【００３３】
そして、取っ手２２が取付けられていないブーツスタンド２０に装着された他方のブーツ１０を逆さまとなるようにして、互いのブーツ１０のつま先部分１４，１４が互いのブーツスタンド２０のつま先保持具４０，４０と向かい合うようにする。そして、各つま先部分１４，１４を向かい合ったつま先保持具４０，４０の収容スペース４１，４１内に矢印で示すように挿入する。この際、つま先保持具４０，４０をそれぞれ上方側、下方側に傾けさせるようにすれば、つま先部分１４，１４がつま先保持具４０，４０内に入り易くなる。
【００３４】
この一対のブーツ１０同士が組み合わさった状態が図１に示されている。最後に、各ブーツ１０のつま先部分１４，１４がつま先保持具４０，４０から抜けないように、各固定バンド４３で各ブーツ１０のアキレス腱近傍を巻き付けるようにして固定する。
【００３５】
これで、各ブーツ１０は、それぞれの甲部１４，１４上に筒状部１２，１２の上端部が位置することにより、保管する際に横方向にスペースを大きく取る必要がなく、特に、下駄箱内に収納保管するとき、一足のブーツ１０はコンパクトとなり、スペースを有効に使用することができる。また、長期間保管しても、ブーツ１０，１０の筒状部１２，１２及び甲部１６，１６が、筒形状のスタンド本体３０及び当て部材５０により内部から支持され、型くずれが起きない。更に、図１に示すように一足のブーツ１０はクリップなどで密着することがなく、長期間の保管に対してもカビなどが発生しにくい。
【００３６】
図８は、第２実施例に係るブーツスタンドを示している。この実施例に係るブーツスタンド１２０は、第１実施例に示したブーツスタンド２０と同様の構造をしているが、スタンド本体１３０、つま先保持具１４０及び当て部材１５０は、網目構造をしている点で異なる。このようにブーツスタンド１２０を網目構造とすることにより、材料の節約が図れる他、各部材の弾性が容易に得られる。この実施例のブーツスタンド１２０の材料としては、例えば、実施の例によれば、ポリエチレン材で製作されるが、弾性が得られれば他の材料で製作するようにしてもよい。
【００３７】
図９は、第３実施例に係るブーツスタンドを示している。この実施例に係るブーツスタンド２２０は、図２に示した第１実施例のブーツスタンド２０の各構成部材であるスタンド本体３０、つま先保持具４０及び当て部材５０を一体化して形成した例を示している。この実施例によるブーツスタンド２２０は、特定のブーツに対応したスタンドとして有効である。
【００３８】
上記各実施例で示したブーツスタンドに色彩を施してファッション性の高いカラフルなものとしてもよい。
【００３９】
また、上記各実施例において、少なくともブーツ１０の筒状部の型くずれを防止するようにしてもよく、この場合、必ずしもブーツ１０の甲部１６の形状を保持する当て部材５０は必要でない。
【００４０】
【発明の効果】
以上説明したように本発明のブーツスタンドによれば、ブーツの筒状部が折れ曲がるのを防止するための筒状のスタンド本体と、その上部にブーツのつま先部分を収容して保持するつま先保持具を設けるようにしたので、一対のブーツを互い違いとなるよう組み合わせることができ、片足分のスペースが必要なくなり、収納性、特に下駄箱内に収納保管する際に保管スペースの縮小が図られるという本発明特有の効果を奏する。
【００４１】
また、一対のブーツを互い違いに抱き合わせる状態で保管するため、ブーツ同士が密着することがなくカビが生えにくい。更に、一対のブーツをクリップ等で挟み付けることがなく、その痕跡等が発生することがない。
【図面の簡単な説明】
【図１】本発明に係る一対のブーツスタンドに一対のブーツを装着し、互い違いに組み合わせて保管する状態の正面図である。
【図２】図１に示したブーツスタンドの正面図である。
【図３】図２に示したブーツスタンドの構成部材であるスタンド本体とつま先保持具との関係を示した一部斜視図である。
【図４】図２おける４−４線による拡大されたスタンド本体の断面図である。
【図５】図４対応し、スタンド本体の他の実施例を示した図である。
【図６】図２における６−６線による拡大された当て部材の断面図である。
【図７】各ブーツスタンドに各ブーツを装着して互い違いに組み合わせるための作用を示した図である。
【図８】本発明の第２実施例に係るブーツスタンドの正面図である。
【図９】本発明の第３実施例に係るブーツスタンドの正面図である。
【図１０】従来におけるブーツスタンドの斜視図である。
【符号の説明】
１０  ブーツ
１２  筒状部
１４  つま先部分
１６  甲部
２０  ブーツスタンド
３０  スタンド本体
４０  つま先保持具
４１  収容スペース
４３  固定バンド
５０  当て部材
【図１】
0004689811.tif 000002
【図２】
0004689811.tif 000003
【図３】
0004689811.tif 000004
【図４】
0004689811.tif 000005
【図５】
0004689811.tif 000006
【図６】
0004689811.tif 000007
【図７】
0004689811.tif 000008
【図８】
0004689811.tif 000009
【図９】
0004689811.tif 000010
【図１０】
0004689811.tif 000011